(57)【要約】【課題】高速連写時でもスルー画で被写体を確認しながらの撮影を可能にする。【解決手段】第一の撮像装置は、第一の光学系を介して画像情報を出力する第一の撮像部と、スルー画を表示する第一の表示部と、第二の撮像装置と通信するための第一のインターフェース部とを備え、第二の撮像装置は、第二の光学系を介して画像情報を出力する第二の撮像部と、スルー画を表示する第二の表示部と、第一の撮像装置と通信するための第二のインターフェース部とを備え、スルー画動作時は、前記第一の撮像装置の状態に応じて、前記第一、第二の撮像部の一方及び、前記第一、第二の表示部の一方をそれぞれ選択する。【選択図】図１
2016208431.tif 000002
【特許請求の範囲】
【請求項１】
第一の撮像装置と、第二の撮像装置とを有するシステムであって、
前記第一の撮像装置は、第一の光学系を介して画像情報を出力する第一の撮像部と、スルー画を表示する第一の表示部と、前記第二の撮像装置と通信するための第一のインターフェース部とを備え、
前記第二の撮像装置は、第二の光学系を介して画像情報を出力する第二の撮像部と、スルー画を表示する第二の表示部と、前記第一の撮像装置と通信するための第二のインターフェース部とを備え、
スルー画動作時は、前記第一の撮像装置の状態に応じて、前記第一、第二の撮像部のいずれか一方及び、前記第一、第二の表示部のいずれか一方をそれぞれ選択することを特徴とする撮像システム。
【発明の詳細な説明】
【技術分野】
【０００１】
本発明は、撮像システムに関する。
【背景技術】
【０００２】
昨今の一眼レフタイプのデジタルカメラでは、撮影者が撮影対象となる被写体をカメラの表示部に表示されたスルー画により観測する機能が備えられている。従来、スルー画の状態から連写を行うと、連続して静止画撮影が実行されるため、表示部にスルー画像を表示することができない。従来の連写時における表示部は、連写開始時の静止画像に表示を固定するか、またはブラックアウトするようになっている。
【０００３】
これでは連写時に被写体を観測しながらの撮影ができない。この課題を解決するために、特許文献１では、連写時の静止画像データの出力期間と、次の静止画像データの出力期間との間にスルー画像を取得し、連写中であってもスルー画表示可能なカメラを開示している。
【先行技術文献】
【特許文献】
【０００４】
【特許文献１】特開２００１−１２８０３６号公報
【発明の概要】
【発明が解決しようとする課題】
【０００５】
しかしながら、特許文献１に開示された従来技術では、連写中にスルー画を観測しながら撮影することが可能となる一方、静止画像データとスルー画像を時系列に取得しているので、高速連写時には駒速が成立しなくなる。つまり被写体の動きを観測しながら高速連写撮影を行えないという問題があった。
【０００６】
これを解決するために連写撮影タイミングにおけるスルー画像を静止画像として取得する方法があるが、駒速は成立するものの、このスルー画像は撮像素子の画像情報が間引かれているため、高画質の静止画像は望めない。また連写中の表示部にはスルー画を出力し続けるため、休止期間の無い撮像素子、表示部が熱源となってカメラがより急速に発熱し、静止画の画質劣化の要因にもなる。
【０００７】
本発明の目的は、高速連写でも画質を損なうことなくスルー画で被写体を確認しながらの撮影を可能にすること、またカメラの発熱による静止画の画質の劣化を最小限に抑えることが可能な撮像システムを提供することにある。
【課題を解決するための手段】
【０００８】
上記の目的を達成するために、本発明は、第一の撮像装置と、第二の撮像装置とを有するシステムであって、前記第一の撮像装置は、第一の光学系を介して画像情報を出力する第一の撮像部と、スルー画を表示する第一の表示部と、前記第二の撮像装置と通信するための第一のインターフェース部とを備え、前記第二の撮像装置は、第二の光学系を介して画像情報を出力する第二の撮像部と、スルー画を表示する第二の表示部と、前記第一の撮像装置と通信するための第二のインターフェース部とを備え、スルー画動作時は、前記第一の撮像装置の状態に応じて、前記第一、第二の撮像部のいずれか一方及び、前記第一、第二の表示部のいずれか一方をそれぞれ選択することを特徴とする。
【発明の効果】
【０００９】
本発明によれば、第一の撮像装置の状態に応じてスルー画動作に必要な撮像部及び表示部を第一、第二の撮像装置より選択できるので、高速連写時でも静止画の画質を損なうことなく、スルー画で被写体を確認しながらの撮影可能な撮像システムを提供することができる。
【図面の簡単な説明】
【００１０】
【図１】本発明の実施形態を説明した撮像装置のブロック構成図である。
【図２】本発明実施例の動作を説明したフローチャートである。
【図３】本発明実施例のスルー画動作部の選択動作を説明したフローチャートである。
【図４】本発明実施例の第二の撮像装置の装着例である。
【図５】本発明実施例のパララックス補正動作を説明したフローチャートである。
【発明を実施するための形態】
【００１１】
以下に、本発明の好ましい実施の形態を、添付の図面に基づいて詳細に説明する。図１は本発明の実施形態にかかる撮像装置の構成を説明したブロック図である。
【００１２】
本実施例にかかる撮像装置は、大別して被写体を撮影するための第一の撮像装置１と第一の撮像装置１の状態に応じてスルー画動作及び表示を行う第二の撮像装置２０から構成される。まず、第一の撮像装置の構成について説明する。２は光学部材からなる撮影レンズ、３は被写体の明るさに応じて撮影した画像が適正光量となるように露出制御するためのシャッタである。４は撮影レンズ２、シャッタ３を通した光情報を撮像するための撮像部、５は撮像した画像の色バランスや画像データの圧縮等の処理を行う画像処理部、６は画像処理部５で処理された画像を記憶する記憶部である。
【００１３】
７は表示部で、撮影画像の確認、スルー画、ＧＵＩ等が表示される。８はスルー画のオン／オフ、レリーズ、モード選択の機能が含まれる複数の操作ＳＷ群である。９は第二の撮像装置２０とコミュニケーションするためのインターフェース部であり、第一の撮像装置１の中ではマイコン１１に接続されており、第二の撮像装置２０の接続の検出、諸情報のデータ取得や第二の撮像装置へのコマンドの授受を行う出入口である。１０は画像領域抽出部であり、第一の撮像装置１と第二の撮像装置２０の撮影領域のパララックスを検出し、第一の撮像装置の撮影範囲に対応する第二の撮像装置の画像領域の抽出を行い、マイコン１１へ抽出結果を出力する。１１は第一の撮像装置１全ての動作制御を行うマイコンである。１２は温度計で、例えば第一の撮像装置１の撮像部４や表示部７等の発熱要因をもつ箇所近傍に少なくとも１箇所以上配置されている。
【００１４】
次に第二の撮像装置２０の構成について説明する。２１は光学部材からなる撮影レンズ、２２は撮影レンズ２１を通した光情報を撮像するための撮像部、２３は撮像した画像の色バランスや画像データの圧縮等の処理を実行する画像処理部、２４は画像処理部２３で処理された画像を記憶する記憶部である。２５は表示部で、第一の撮像装置１の状態に応じて、スルー画が表示される。２６は第一の撮像装置とコミュニケーションするためのインターフェース部であり、マイコン２７と接続され、第一の撮像装置１へ伝達する諸情報や、第一の撮像装置１からのコマンドの授受の出入口となる。２７はマイコンであり第二の撮像装置２０全ての動作制御を行う。
【００１５】
以上が本実施例にかかる撮像装置のブロック構成の説明である。ここで、本実施例にかかる第二の撮像装置２０は、例えば図４のような形態で第一の撮像装置１に装着されるものとする。図４において、第二の撮像装置２０は、第一の撮像装置上部に固定された固定部材４０にレンズ２１がレンズ２の視野領域に向くよう装着・固定される。また第一、第二の撮像装置の通信の授受方法について、図１ではそれぞれの撮像装置のインターフェース部同士が直結して表現しているが、これは接触通電による通信でも、無線、光通信等の非接触通信でも、画像転送を含む通信ができれば限定されるものではない。
【００１６】
次に本実施例の動作について添付の図面に基づいて説明する。図２は第一の撮像装置１が、電源（不図示）オン状態で撮影待機状態から撮影動作するまでの概要を説明したフローチャートである。尚、本実施例では、撮像装置１の電源がオン状態直後のスルー画表示は、撮影者が操作スイッチ群８の操作によりスルー画表示をオン状態にするまでは無効（非表示）であるものとする。
【００１７】
まずステップ２０１で第一と第二の撮像装置のパララックス補正の実行を判定するためのフラグ（Ｆｌａｇ＿Ｐ）の初期化（＝０）を行う。このフラグは１ならばパララックス補正は実行済み、０ならば非実行であるものとする。またパララックス補正実行後に第一の撮像装置１と第二の撮像装置２０の通信が切断された場合には、上記フラグは０設定されるものとする（不図示）。次にステップ２０２でＦｌａｇ＿Ｐの状態を判定する。１であれば、パララックス補正は実行済みであるからステップ２０３、２０４をスキップし、ステップ２０５で操作スイッチ群８のいずれかが操作されたかどうかを判定する。
【００１８】
一方、０であればステップ２０３で第一の撮像装置１に第二の撮像装置２が装着され、通信可能（以下接続と表記する）状態であるかどうかを判定する。接続状態でなければ、ステップ２０５に進み操作スイッチ群８のいずれかが操作されたかどうかを判定する。一方、第二の撮像装置２０が接続状態の時にはステップ２０４で第一及び第二の撮像装置のパララックスの補正を行ったのち、ステップ２０５へ進む。
【００１９】
ここで、ステップ２０４で実行する第一と第二の撮像装置のパララックス補正の流れを図５に示す。ステップ５０１では、第一の撮像装置１のマイコン１１は第二の撮像装置２０のレンズ２１の焦点距離を広角端となるように実行命令を出力し、上記焦点距離が広角端になったことを通信により確認できたら、次のステップへ進む。ステップ５０２では、第一の撮像装置１のマイコン１１より、第一の撮像装置１及び第二の撮像装置２０による静止画を同時撮影するための撮影命令を出力し同時撮影を行い、それぞれの撮像装置で撮影した静止画像をそれぞれの記憶部６、２４に一時記憶する。
【００２０】
この一時記憶された静止画像のうち、第一の撮像装置１により取得したものを第一の静止画像、第二の撮像装置２０により取得したものを第二の静止画像とする。次にステップ５０３では、記憶部２４に一時記憶されている第二の静止画像を、インターフェース部２６、９を介して第一の撮像装置１に転送し、記憶部６に一時記憶する。
ここで、記憶部６には第一の静止画像と第二の静止画像が記憶されていることになる。
【００２１】
ステップ５０４では、撮影範囲検出部１０において、記憶部６に記憶された第二の静止画像より、第一の静止画像の撮像範囲に対応する画像領域の抽出を行う。抽出した画像領域はステップ５０５で画像領域抽出部１０よりマイコン１１へ出力され、マイコン１１よりインターフェース部９、２６を介して、第二の撮像装置２０のマイコン２７に伝えられ、記憶部２４に記憶される。第一の撮像装置１のマイコン１１が、第二の撮像装置２０の撮像部２２のスルー画像を表示部２５で表示するよう命令した時は、例えば図４の４１のように上記抽出された画像領域を記憶部２４より読出し、これに対応した枠表示を表示部２５に出力する。
【００２２】
尚、上記抽出された画像領域の表示部２５への表示方法はこれによらず、該当する領域を拡大表示してもよいし、非該当の領域をブラックアウト（非表示）にしてもよい。これで第一と第二の撮像装置のパララックス補正が実行済みとなったら、ステップ５０６で第一と第二の撮像装置のパララックス補正の実行を判定するためのＦｌａｇ＿Ｐを１に設定する。以上がパララックス補正の説明である。
【００２３】
図２に戻り、ステップ２０５では操作スイッチ群８のいずれかが操作されたかどうかを判定するスイッチ操作の待機状態である。スイッチ類が無操作の時はスイッチ操作の待機状態のままであり、ステップ２０２に進む。撮影許可となるレリーズスイッチが操作された時はＳ２０６で撮影を実行し、撮影画像を取得し、不図示の記憶媒体に記憶される。その後ステップ２０７で表示部７に撮影画像の確認表示を所定時間表示したのちステップ２０２に戻る。
【００２４】
ステップ２０５に戻り、撮影者がスイッチ操作群８の操作によりスルー画表示がオンされたら、ステップ２０８で第一の撮像装置１の状態に応じてスルー画表示に使うための撮像部、表示部を第一及び第二の撮像装置より選択する。
【００２５】
この選択動作について図３を使って説明する。図３において、ステップ３０１では、第二の撮像装置２０の接続状態を判定しており、非接続の時はステップ３０６へ進み第一の撮像装置１に具備された撮像部４よりのスルー画像を表示部７で表示する選択を行う。一方、第二の撮像装置２０が接続されている時はステップ３０２、３０３で第一の撮像装置１の状態に応じたスルー画動作部の選択を行う。まずステップ３０２で第一の撮像装置１が連写モードであるかを判定している。
【００２６】
連写モードの設定されている時は、第一の撮像装置１の撮像部４のスルー画像を使うと静止画像も撮像部４を使う為に高速連写時に駒速が成立しなくなるため、第二の撮像装置２０の撮像部２２のスルー画像を表示部２５に表示する選択を行う。表示部２５を選択したのは、撮像部２２のスルー画像を第一の撮像装置１の表示部７の転送のタイムラグを削減したいためである。
【００２７】
一方、連写モードでない時はステップ３０３で第一の撮像装置１の温度計１２の出力Ｔに応じたスルー画動作部の選択を行う。ステップ３０３において、温度計１２の出力Ｔが充分低い時（Ｔ＜ａ）は、ステップ３０６で第一の撮像装置１の撮像部４のスルー画像を第一の撮像装置１の表示部７に表示する選択を行う。温度計１２の出力Ｔが比較的高いが静止画の画質劣化には至らない時（ａ≦Ｔ＜ｂ）は第一の撮像装置の撮像部４のスルー画像を第二の撮像部２０の表示部２５に表示する選択を行う。温度計１２の出力Ｔが静止画の画質劣化の影響を受けるような時（Ｔ≧ｂ）は、第一の撮像装置１を使ったスルー画表示は行わず、第二の撮像装置２０の撮像部２２のスルー画像を第二の撮像装置２０の表示部２５で表示する選択を行う。
【００２８】
ステップ３０２、３０３の判定によるスルー画動作部の選択が終了したら図２のステップ２０５のスイッチ操作の待機状態に戻る。以上が本実施例の動作説明である。
【００２９】
尚、本実施例では第一の撮像装置１の状態が、連写撮影であるか否かによりスルー画動作部の選択判定を行った（図３のステップ３０２）が、これに限らず連写撮影時の駒速が成立していれば、連写撮影時のシャッタスピードに応じて選択判定してもよい。例えば、高速連写時のみ撮像部２２のスルー画像を表示部２５に表示する選択（図３のステップ３０４）をし、上記以外は連写撮影時の駒速が成立していれば、撮像部４のスルー画像を表示部７に表示する選択とし、特許文献１と同様な動作を実行してもよい。
【００３０】
以上本実施例によれば、第一の撮像装置１の状態に応じてスルー画動作に必要な撮像部及び表示部を第一、第二の撮像装置より選択できるので、高速連写時でもスルー画で被写体を確認しながらの撮影が可能となる。また第一の撮影装置１の発熱による撮影画像の画質の劣化についても、発熱の程度に応じてスルー画動作時に第二の撮像部２０を活用することで第一の撮像部１の撮像部４、表示部７を休息させ発熱を抑制し、画質の劣化を抑えることができる。
【符号の説明】
【００３１】
１  第一の撮像装置、２０  第二の撮像装置、２  撮影レンズ、３  シャッタ、
４  撮像部、５  画像処理部、６  記憶部
【図１】
2016208431.tif 000003
【図２】
2016208431.tif 000004
【図３】
2016208431.tif 000005
【図４】
2016208431.tif 000006
【図５】
2016208431.tif 000007